(57)【特許請求の範囲】
【請求項１】
屈折率が既知の基板上に形成されている薄膜の屈折率、消衰係数、及び膜厚を求める薄膜の光学定数測定方法であって、
透過率Ｔ、反射率Ｒ、及び、薄膜の形成されていない空気透過部と薄膜が形成されている薄膜透過部との位相差δを光学的に測定し、
該透過率Ｔ、反射率Ｒ、位相差δの３者の値から次式（１）、（２）、（３）の連立方程式を計算手段（コンピュータ）で算出することにより該薄膜全体の等価的な屈折率ｎ、消衰係数ｋ、及び膜厚ｄを求めることを特徴とする薄膜の光学定数測定方法。
Ｔ＝ｔ・ｔ＊・ｎｓ×１００／ｎ０  ・・・・・・・・・（１）
Ｒ＝ｒ・ｒ＊×１００・・・・・・・・・・・・・・・（２）
δ＝２π（ｎ−ｎ０）ｄ／λ・・・・・・・・・・・・（３）
ここでｔ＝２ｎ０／（ｍ１＋ｍ２＋ｍ３＋ｍ４）
ｒ＝（ｍ１＋ｍ２−ｍ３−ｍ４）／（ｍ１＋ｍ２＋ｍ３＋ｍ４）
ｔ＊はｔの共役複素数、ｒ＊はｒの共役複素数
ｍ１＝ｎ０ｃｏｓδ
ｍ２＝ｎ０・ｎｓ  ｓｉｎδ／（ｎ−ｋ・ｉ）・ｉ
ｍ３＝ｓｉｎδ・（ｎ−ｋ・ｉ）・ｉ
ｍ４＝ｎｓｃｏｓδ
Ｔは透過率、Ｒは反射率、ｉは虚数単位、δは位相差、
ｄは薄膜の厚さ、ｎは薄膜の屈折率、ｋは薄膜の消衰係数、
ｎｓは基板の屈折率、ｎ０は空気の屈折率（＝１）、λは波長をそれぞれ表す。
【発明の詳細な説明】
【０００１】
【発明の属する技術分野】
本発明は、基板上に真空蒸着法、スパッタリング法等で薄膜層を形成させた薄膜の屈折率ｎ、消衰係数ｋ等の光学定数を決定する方法に関する。特に、薄膜が金属性である場合に有効な方法である。
【０００２】
【従来の技術】
従来、薄膜の屈折率、消衰係数の算出は透過率Ｔ，反射率Ｒ，及び薄膜の実際に測定した膜厚ｄを用いて算出している。すなわち、透過率Ｔ、反射率Ｒは薄膜の屈折率ｎ，消衰係数ｋ及び膜厚ｄの関数ｆ1 、ｆ2 として表される。
Ｔ＝ｆ1 （ｎ，ｋ，ｄ）……（４）
Ｒ＝ｆ2 （ｎ，ｋ，ｄ）……（５）
ここで透過率Ｔ，反射率Ｒ，膜厚ｄが測定され既知となるので、関数式（４）、（５）から残りの屈折率ｎ，消衰係数ｋを求めている。
【０００３】
しかし、通常膜厚測定は触針式で行われており、膜厚の測定誤差がそのまま反映されデータにかなりのバラツキが生じてくると言う問題があった。更に、金属性薄膜を測定する場合には、図２（ａ）に示す如く、表面が空気酸化され表面層（２ｂ）と定常層（２ａ）の光学定数が異なるために、図２（ｂ）の様に縦軸に消衰係数ｋ，横軸に屈折率ｎをとり透過率曲線及び反射率曲線をプロットした場合に交点が出来ず屈折率ｎ、消衰係数ｋが特定できない場合がある。
【０００４】
【発明が解決しようとする課題】
本発明は上記の問題に鑑みてなされたものであり、その目的とするところは、薄膜の厚さ方向に異なる物性を有する金属性薄膜であっても屈折率、消衰係数を精度良く測定できる方法、及びこの装置を提供することである。
【０００５】
【課題を解決するための手段】
請求項１に記載の発明は、屈折率が既知の基板上に形成されている薄膜の屈折率、消衰係数、及び膜厚を求める薄膜の光学定数測定方法であって、
透過率Ｔ、反射率Ｒ、及び、薄膜の形成されていない空気透過部と薄膜が形成されている薄膜透過部との位相差δを光学的に測定し、
該透過率Ｔ、反射率Ｒ、位相差δの３者の値から次式（１）、（２）、（３）の連立方程式を計算手段（コンピュータ）で算出することにより該薄膜全体の等価的な屈折率ｎ、消衰係数ｋ、及び膜厚ｄを求めることを特徴とする薄膜の光学定数測定方法。
Ｔ＝ｔ・ｔ＊・ｎｓ×１００／ｎ０  ・・・・・・・・・（１）
Ｒ＝ｒ・ｒ＊×１００・・・・・・・・・・・・・・・（２）
δ＝２π（ｎ−ｎ０）ｄ／λ・・・・・・・・・・・・（３）
ここでｔ＝２ｎ０／（ｍ１＋ｍ２＋ｍ３＋ｍ４）
ｒ＝（ｍ１＋ｍ２−ｍ３−ｍ４）／（ｍ１＋ｍ２＋ｍ３＋ｍ４）
ｔ＊はｔの共役複素数、ｒ＊はｒの共役複素数
ｍ１＝ｎ０ｃｏｓδ
ｍ２＝ｎ０・ｎｓ  ｓｉｎδ／（ｎ−ｋ・ｉ）・ｉ
ｍ３＝ｓｉｎδ・（ｎ−ｋ・ｉ）・ｉ
ｍ４＝ｎｓｃｏｓδ
Ｔは透過率、Ｒは反射率、ｉは虚数単位、δは位相差、
ｄは薄膜の厚さ、ｎは薄膜の屈折率、ｋは薄膜の消衰係数、
ｎｓは基板の屈折率、ｎ０は空気の屈折率（＝１）、λは波長をそれぞれ表す。
【０００７】
ＸＹステージ上に置かれた測定試料は、ステージを２次元方向に移動させ測定する場所を決定する。次に反射率Ｒ，位相差φ、透過率Ｔを測定するのに最適な条件になるように入射光源系の全反射ミラーを回転させて調整する。
すなわち、反射率Ｒを測定する時は反射受光が妨げられない様に少しに角度を持たせて入射させ、位相差φ、透過率Ｔを測定す時は測定試料に対して直角に入射させる。屈折率や消衰係数は波長によって異なるため、光線は分光器（モノクロメータ）で単波長化させておく必要がある。
【０００８】
【発明の実施の形態】
屈折率ｎs が既知の基材に薄膜が形成された、一部分に薄膜が無い図３（ａ）に示すような測定試料を用いて薄膜が形成されている位相差発生層透過部φ１と空気透過部φ２との位相差δは次の様な式で表される。
δ＝２π（ｎ−ｎ0 ）ｄ／λ・・・・・・・・・・（３）
ここで、ｎは薄膜全体の等価的な屈折率、ｎ0 は空気の屈折率であるのでｎ0 ＝１、ｄは薄膜の厚さ、λは入射する光の波長を表す。
位相差は光学干渉計を用いて測定することが可能である。
【０００９】
これから、前記の式（１），（２）と（３）を連立させれば薄膜の屈折率ｎ，消衰係数ｋ、厚さｄを求めることが出来る。すなわち、この場合の等透過率曲線、等反射率曲線は（３）より位相差一定の条件下で変化するので、図３（ｂ）に示すように交点ができ、この交点から屈折率ｎ，消衰係数ｋを特定できる。
【００１０】
従来、膜厚測定はｄｅｋ−ｔａｋなどの触針式で行われており誤差が５０Å前後であるのに対して、本発明のように直接位相差を光学的に測定する測定精度は±３度以内であり、反射率Ｒ、透過率Ｔを精度よく測定すれば触針式以上の精度で厚さｄ、屈折率ｎ、消衰係数ｋを求めることができる。
【００１１】
この光学定数測定装置の概略図は、図１に示すように反射率計と透過率を計測できる干渉計を設けて、測定試料の反射率Ｒ、透過率Ｔ、位相差δを測定し、それぞれの測定数値と前記の数式（１），（２），（３）より屈折率ｎ、膜の厚さｄ、消衰係数ｋを算出するプログラムを内蔵するコンピュータに入力させ演算算出する。
【００１２】
光源（２１）からの光線を分光器（モノクロメータ）（２２）で特定波長を取り出しスリット（２３）を通して、測定試料（１０）にほぼ垂直に入射させ反射光をフォトマル（３１）で検出測定し反射率測定ユニット（３０）で反射率Ｒを測定して演算手段であるコンピュータ（６０）に反射率Ｒを入力する。
次に、入射系光路の全反射ミラー（２４）、（２５）を回転させて測定試料（１０）に対して垂直に入射させ位相差干渉計（４０）に導く。
位相差干渉計（４０）は、ハーフミラー（４１ａ，４２ｂ）、全反射ミラー（４２ａ，４１ｂ）、ウエッジプリズム（４３ａ，４３ｂ），ピンホールミラー（４４）及びフォトマル（４５）で構成されており、薄膜が形成されている位相差発生層透過部φ１と空気透過部φ２との位相差φを算出する。
また、干渉光の強度振幅から透過率Ｔも計測できるようになっている。
【００１３】
【実施例】
［実施例１］
石英基板（屈折率＝１．４７５  ａｔ波長λ＝３６５ｎｍ）に２珪素ジルコニウム（ＺｒＳｉ2 ）をターゲットとしてＡｒ＝２９ｓｃｃｍ（ｓｔａｎｄａｒｄｃｕｂｉｃ  ｃｅｎｔｉｍｅｔｅｒ  ｍｉｎｕｔｅｓ），Ｏ2 ＝１ｓｃｃｍ、４００ｗの条件でスパッタリングによって成膜した測定試料をもちいて反射率Ｒ、透過率Ｔ及び位相差φを測定したところ、反射率Ｒ＝３０．３２％、透過率Ｔ＝３．３４％及び位相差φ＝７１ｄｅｇであり、これに基づきコンピュータで演算したところ成膜層全体の等価屈折率＝２．１７、消衰係数＝１．５４、膜厚＝６１５Åと算出された。
反射率Ｒ＝３０．３２％、透過率Ｔ＝３．３４％及び位相差φ＝７１ｄｅｇの時の消衰係数ｋ、屈折率ｎの関係を表したものが図４（ａ）であり、交点が求める屈折率及び消衰係数である。
【００１４】
［比較例１］
実施例１に成膜した測定試料を従来行われていた触針膜厚計で膜厚ｄを測定し、ｄ＝５８５Åを得、反射率Ｒ＝３０．３２％、透過率Ｔ＝３．３４％及び膜厚ｄ＝５８５Åの時の消衰係数ｋ、屈折率ｎの関係を表したものが図４（ｂ）であり、交点がなく屈折率及び消衰係数が算出されなかった。
【００１５】
［実施例２］
石英基板（屈折率＝１．５０８  ａｔ波長λ＝２４８ｎｍ）に２珪素ジルコニウム（ＺｒＳｉ2 ）をターゲットとしてＡｒ＝２８ｓｃｃｍ（ｓｔａｎｄａｒｄｃｕｂｉｃ  ｃｅｎｔｉｍｅｔｅｒ  ｍｉｎｕｔｅｓ），Ｏ2 ＝２ｓｃｃｍ、４００ｗの条件でスパッタリングによって成膜した測定試料をもちいて反射率Ｒ、透過率Ｔ及び位相差φを測定したところ、反射率Ｒ＝３１．３２％、透過率Ｔ＝２．１％及び位相差φ＝５８．４５ｄｅｇであり、これに基づきコンピュータで演算したところ成膜層全体の等価屈折率＝１．８６、消衰係数＝１．６２、膜厚＝４７０Åと算出された。
反射率Ｒ＝３１．３２％、透過率Ｔ＝２．１％及び位相差φ＝５８．４５ｄｅｇの時の消衰係数ｋ、屈折率ｎの関係を表したものが図５（ａ）であり、交点が求める屈折率及び消衰係数である。
【００１６】
［比較例２］
実施例２に成膜した測定試料を従来行われていた触針膜厚計で膜厚ｄを測定し、ｄ＝４１５Åを得、反射率Ｒ＝３１．３２％、透過率Ｔ＝２．１％及び膜厚ｄ＝４１５Åの時の消衰係数ｋ、屈折率ｎの関係を表したものが図５（ｂ）であり、交点がなく屈折率及び消衰係数が算出されなかった。
【００１７】
【発明の効果】
従来、光学定数が測定出来なかった薄膜のように表面が酸化されて、光学物性が変化していても、表面層を含めた薄膜全体の等価的な屈折率、消衰係数及び厚さを精度良く測定できる。また、薄膜の光学的厚さを触針式に比較して精度よく算出できる。
また、このような等価的な屈折率、消衰係数を知ることにより多層膜構成の光学設計において重要な情報を提供することができる。
【図面の簡単な説明】
【図１】本発明の薄膜の光学定数測定装置の概略構成図である。
【図２】（ａ）は基板上の薄膜に表面層と定常層が形成されている状態を示す断面図であり、（ｂ）は屈折率ｎと消衰係数ｋが特定出来ないことを説明する図である。
【図３】（ａ）は位相差を測定する為に基板上に薄膜が形成されている状態を示す断面図であり、（ｂ）は屈折率ｎと消衰係数ｋが特定出来ることを説明する図である。
【図４】（ａ）は実施例１における屈折率と消衰係数の関係を表したグラフ、（ｂ）は比較例１における屈折率と消衰係数の関係を表したグラフである。
【図５】（ａ）は実施例２における屈折率と消衰係数の関係を表したグラフ、（ｂ）は比較例２における屈折率と消衰係数の関係を表したグラフである。
【符号の説明】
１…基板
２…薄膜
２ａ…定常層
２ｂ…表面層
１０…試料
２１…光源
２２…分光器（モノクロメータ）
２３…スリット
２４、２５…全反射ミラー
２６…ＸＹステージ
３０…反射率測定ユニット
３１…フォトマル
４０…位相差干渉計
４１ａ、４２ｂ…ハーフミラー
４２ａ、４１ｂ…ハーフミラー
４３ａ、４３ｂ…ウェッジプリズム
４４…ピンホールミラー
４５…フォトマル
５０…位相差・透過率測定ユニット
６０…演算手段（コンピュータ）
【図１】
0004032511.tif 000002
【図２】
0004032511.tif 000003
【図３】
0004032511.tif 000004
【図４】
0004032511.tif 000005
【図５】
0004032511.tif 000006